(57)【特許請求の範囲】
【請求項１】
ＬＥＤ素子が配設されたＬＥＤ基板と、
前記ＬＥＤ基板が位置する面を底面とする箱型の筺体と、
前記筺体の前記底面とは反対側である裏面側に位置する電源部と、
前記筺体の前記裏面側に位置し受信機能を有する受信モジュールと、
前記受信モジュールに電気的に接続されるアンテナと、
前記アンテナを収容するケースと、
を有し、
前記ケースには前記アンテナを収容する複数の溝が設けられており、前記複数の溝の少なくも一つに前記アンテナを選択的に収容することにより、前記受信モジュールに対する前記アンテナの位置調整が可能である
ことを特徴とする照明装置。
【請求項２】
前記底面には貫通孔が設けられ、
前記アンテナは、少なくとも一部が前記貫通孔に位置する
請求項１に記載の照明装置。
【請求項３】
前記受信モジュールは、前記筺体の側壁を挟んで、前記ＬＥＤ基板が位置する側とは反対側である外側に位置する
請求項１に記載の照明装置。
【請求項４】
前記側壁には、前記側壁の外側で前記底面側に向かって折り返された折り返し壁が設けられ、
前記受信モジュールは、前記側壁と前記折り返し壁とで形成される収容空間に位置する
請求項３に記載の照明装置。
【請求項５】
前記電源部に対して前記受信モジュールよりも前記アンテナが離間してなる
請求項４に記載の照明装置。
【発明の詳細な説明】
【技術分野】
【０００１】
本発明は、発光基板にＬＥＤ基板を用いた照明装置に関し、例えば天井位置に取付けられる照明装置に好適なものである。
【背景技術】
【０００２】
照明に用いる発光源として発光ダイオード（以下、ＬＥＤ（Ｌｉｇｈｔ  Ｅｍｉｔｔｉｎｇ  Ｄｉｏｄｅ））が発光素子として注目され、基板上に複数のＬＥＤ素子を配置したＬＥＤ基板が発光基板として開発されている。そして、このようなＬＥＤ基板を用いた照明装置が開発され、急速に普及している。このような照明装置としては、光の状態を調整する、所謂調光機能を備えたものがある。照明装置の調光は、例えば下記特許文献１に記載されるように、無線信号を受信して行われることが多い。特許文献１では、面状の無線アンテナを反射板に取付けて調光機能付きの照明装置を構成している。
【先行技術文献】
【特許文献】
【０００３】
【特許文献１】特開２００６−８０００７号公報
【発明の概要】
【発明が解決しようとする課題】
【０００４】
上記のような調光機能付きの照明装置において、室内側からの無線信号を受信するための無線モジュールに対するアンテナの位置が一意に固定されていると、当該照明装置におけるアンテナ配置が無線モジュール配置にのみ依存するため、アンテナ調整の柔軟性及び自由度が乏しくなるという問題が生じる。
【０００５】
本発明は、上記のような問題点に着目してなされたものであり、発光基板にＬＥＤ基板を用い、無線モジュールにアンテナを内装した場合であっても、無線信号の受信感度の確保を有利にすることが可能な照明装置を提供することを目的とするものである。
【課題を解決するための手段】
【０００６】
上記課題を解決するために、本発明の一態様によれば、ＬＥＤ素子が配設されたＬＥＤ基板と、ＬＥＤ基板が位置する面を底面とする箱型の筺体と、筺体の底面とは反対側である裏面側に位置する電源部と、同じく裏面側に位置する受信機能を有する受信モジュールと、を有し、更に、受信モジュールに電気的に接続され、かつ、受信モジュールに対して位置が任意に調整可能であるアンテナが配置されていることを特徴とする照明装置が提供される。
【発明の効果】
【０００７】
本発明の照明装置では、発光基板としてＬＥＤ基板を用い、無線モジュールにアンテナを内装した場合であっても、無線信号の受信感度を確保する上で有利である。
【図面の簡単な説明】
【０００８】
【図１】本発明の照明装置の第１実施形態を示すスクエア型照明装置の分解斜視図である。
【図２】図１の照明装置に用いられる無線モジュールの分解斜視図である。
【図３】図１の照明装置に用いられる無線モジュールのケース内でのアンテナ配置例を示す模式図である。（ａ）は基本的なアンテナ配置例を示す模式図である。（ｂ）はアンテナ線の長さを調整したアンテナ配置例を示す模式図である。（ｃ）はアンテナ線の長さを調整し、かつ、アンテナ基点とアンテナ端部との位置を入れ替えたアンテナ配置例を示す模式図である。
【図４】図１の照明装置に図２の無線モジュールを取付けた状態の斜視図である。
【図５】図４の照明装置の断面図である。
【図６】図１の照明装置のヒートシンクの室内側と反対側面の平面図である。
【図７】図６のヒートシンクに無線モジュールを第１の方向に配置した状態での平面図である。
【図８】図６のヒートシンクに無線モジュールを第２の方向に配置した状態での平面図である。
【図９】図１の照明装置の変形例におけるヒートシンク５の室内側と反対側面の平面図である。
【図１０Ａ】本発明の照明装置の第２実施形態を示すグリッド型照明装置の分解斜視図である。
【図１０Ｂ】図１０Ａの照明装置のＬＥＤユニットを示す分解斜視図である。
【図１１】図１０ＢのＬＥＤユニットに用いられる無線モジュール内のアンテナ配置例を示す模式図である。
【図１２Ａ】図１１の無線モジュールとは異なるアンテナ配置例を示す無線モジュール内のアンテナ配置例を示す模式図である。
【図１２Ｂ】図１２Ａの無線モジュールの分解斜視図である。
【図１３】図１２Ａの無線モジュールのアンテナ線の長さを調整したアンテナ配置例を示す模式図である。
【図１４】図１２Ａの無線モジュールのアンテナ線の長さを調整し、かつ、アンテナ基点とアンテナ端部との位置を入れ替えたアンテナ配置例を示す模式図である。
【図１５】図１０ＢのＬＥＤユニットに図１１〜図１４のいずれかの無線モジュールを取付けた状態の斜視図である。
【図１６】図１０ＢのＬＥＤユニットに図１１〜図１４のいずれかの無線モジュールを取付けた状態の平面図である。
【図１７】図１６のＬＥＤユニットの断面図である。
【図１８】図１１の無線モジュールのケース内での他のアンテナ配置例を示す模式図である。
【図１９】本発明の照明装置の第３実施形態において、図１０ＢのＬＥＤユニットに図１１〜図１４及び図１８のいずれかの無線モジュールを取付けた状態の斜視図である。
【図２０】図１９のＬＥＤユニットの断面図である。
【発明を実施するための形態】
【０００９】
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１０】
＜第１実施形態＞
以下に、本発明の照明装置の第１実施形態について図面を参照しながら説明する。
（スクエア型照明装置）
図１は、第１実施形態に係る照明装置１の分解斜視図である。第１実施形態に係る照明装置１は、室内側から見たとき方形な平板状のスクエア型照明装置である。第１実施形態に係る照明装置１は、例えば天井位置に取付けて使用されるものであり、図の下方が室内側に相当する。この照明装置１は、発光ユニットの一例であるＬＥＤユニット２と、そのＬＥＤユニット２を収容して例えば天井等の被取付部に取付けられる器具本体３とを備える。
【００１１】
ＬＥＤユニット２は、方形な金属からなる略板状のヒートシンク５及び樹脂又は金属からなる側壁１０ａを含む筺体１０と、そのヒートシンク５の室内側面に設けられた複数のＬＥＤ基板６と、ヒートシンク５の室内側と反対側面に設けられたＬＥＤ点灯装置７と、複数のＬＥＤ基板６の室内側に設けられた反射シート８と、反射シート８の室内側に設けられて複数のＬＥＤ基板６を覆う透光性のカバーパネル９と、筺体１０に接続されカバーパネル９を支持する枠部１８と、を備える。
なお、ヒートシンク５を形成する金属としては、例えばアルミニウム、ステンレス等を利用することができる。
【００１２】
図１に示すように、複数のＬＥＤ基板６の各々は、長尺な単一のＬＥＤ基板であり、基板長尺方向に列をなすようにしてＬＥＤ素子４が二列実装されている。そして、ＬＥＤ素子４の列が多数並列になるように複数のＬＥＤ基板６を幅方向に並べてＬＥＤユニット２の発光部が形成されている。
また、反射シート８は、ＬＥＤ基板６の室内側に配置され、ヒートシンク５に取付けられた全てのＬＥＤ基板６を覆う大きさの方形に形成され、個々のＬＥＤ素子４に対応する位置に、貫通孔であるＬＥＤ露出孔８ａが形成されている。ＬＥＤ基板６と反射シート８とを重ね合わせた状態にしたとき、ＬＥＤ素子４とＬＥＤ露出孔８ａとは同じ位置にあり、ＬＥＤ素子４はＬＥＤ露出孔８ａから室内側に露出する。
これらＬＥＤ基板６と反射シート８は、ヒートシンク５に取付けられたとき、重ね合わせた状態となる。
【００１３】
第１実施形態では、ヒートシンク５は、ＬＥＤ基板６が載置される底面５ｃと、この底面５ｃの端部から折り曲げられて室内側に延びる側面５ｂとを有し、底面５ｃには貫通孔であるアンテナ挿通孔５ａが形成されている。アンテナ挿通孔５ａは、幅方向に並べられたＬＥＤ基板６同士の隙間の部分に位置している。また、ＬＥＤ基板６の室内側に配置される反射シート８にも、上記のＬＥＤ露出孔８ａとは別に、アンテナ挿通孔５ａに対応する位置に、アンテナ挿通孔５ａと同形状の貫通孔であるアンテナ挿通孔８ｂが形成されている。
アンテナ挿通孔５ａ及びアンテナ挿通孔８ｂについては後述する。
【００１４】
また、ヒートシンク５は、樹脂若しくは金属からなる側壁１０ａが取付けられることで、方形な筺体１０を形成する。この筺体１０は、室内側と反対側に底面を有し、かつ、室内側に開口部を有する。そして、この筺体１０の室内側開口部を覆うようにカバーパネル９が取付けられる。また、筺体１０の底面であるヒートシンク５の室内側と反対側面中央部にはＬＥＤ点灯装置７が取付けられる。ＬＥＤ点灯装置７は、外部電源からＦケーブル等を介して照明装置１に供給された電力を複数のＬＥＤ基板６に分配する電源回路を収容し、かつ、各ＬＥＤ基板６に実装される複数のＬＥＤ素子４の発光状態を変更する発光状態変更機能を有する。なお、発光状態の変更の例としては、例えば、調色、調光、消灯、点灯等がある。
【００１５】
更に、第１実施形態に係る照明装置１は、例えば室内側のスマートフォンやタブレット端末等から発信された発光状態を変更するための指示を含む無線信号を受信し、その受信信号に応じてＬＥＤ点灯装置７に発光状態を変更するための信号を送信するための無線モジュール１２を備えている。無線モジュール１２は、ＬＥＤ点灯装置７に対して、有線、無線の少なくとも一方で接続可能であれば良い。また、照明装置１に対して着脱可能であっても良い。
ＬＥＤ点灯装置７は、無線モジュール１２から送信された信号に応じて、ＬＥＤ基板６に実装される複数のＬＥＤ素子４の発光状態を変更する。
【００１６】
（無線モジュール）
図２は、第１実施形態に係る無線モジュール１２の分解斜視図である。この無線モジュール１２は、樹脂製のケース１３内に、無線通信用の素子が実装された無線回路基板１４と、その無線回路基板１４上の素子が雑音の影響を受けないようにするためのシールド部材１５と、ＬＥＤ点灯装置７との接続用ハーネスが接続されるコネクタ１６と、無線回路基板１４上の素子に電気的に接続されて無線回路基板１４から延出する棒状のアンテナ１７を有する。
【００１７】
なお、無線回路基板１４には、周知の無線回路技術を用いることができる。また、シールド部材１５は、ステンレス等の金属であっても良いし、アンテナ感度を向上させるためにフィラーを分散したシート等であっても良い。また、アンテナ１７は、折り返し可能であり、切断等により長さ調節も可能である。例えば、アンテナ１７は、支持なしに自立できる程度に形状維持が可能なフレキシブルアンテナである。
【００１８】
第１実施形態では、ケース１３は、アンテナ１７の少なくとも一部を収容可能なアンテナケース１３ａと、無線回路基板１４が収容される本体部１３ｂとを有する。アンテナケース１３ａは、ケース１３の本体部１３ｂから突出するように形成されている。この場合、ケース１３の本体部１３ｂを金属製とし、アンテナケース１３ａのみ樹脂製とすることも可能である。
【００１９】
図３は、図１の照明装置１に用いられる無線モジュール１２のケース１３内でのアンテナ配置例を示す模式図である。この無線モジュール１２は、筺体１０の底面であるヒートシンク５に略平行に取付けられる。
図３（ａ）に示すように、第１実施形態では、基本的に、アンテナ１７は、アンテナ基点１７ａがケース１３の本体部１３ｂ内に位置し、アンテナ端部１７ｂがアンテナケース１３ａ内に位置するように配置されている。
なお、他のアンテナ配置例として、図３（ｂ）に示すように、アンテナ線の長さを調整することで、アンテナ端部１７ｂもケース１３の本体部１３ｂ内に位置するようにしても良い。
また、図３（ｃ）に示すように、ケース１３の本体部１３ｂ内において、アンテナ線の長さを調整し、かつ、アンテナ基点１７ａとアンテナ端部１７ｂとの位置を入れ替えても良い。
このように、アンテナ１７は、無線信号の受信感度を調整するため、無線回路基板１４に対して給電点を基点に位置を任意に調整することができる。
【００２０】
（照明装置と無線モジュールとの関係）
図４は、図１の照明装置に図２の無線モジュール１２を取付けた状態の斜視図、図５は、図４の照明装置の断面図である。無線モジュール１２は、アンテナケース１３ａをヒートシンク５のアンテナ挿通孔５ａ及び反射シート８のアンテナ挿通孔８ｂに挿通するようにして、ＬＥＤ点灯装置７と同様に、ヒートシンク５の室内側と反対側面に取付けられている。
第１実施形態では、無線モジュール１２におけるケース１３の本体部１３ｂはヒートシンク５に対して室内側と反対側に配置され、アンテナケース１３ａはヒートシンク５のアンテナ挿通孔５ａ及び反射シート８のアンテナ挿通孔８ｂを挿通して室内側に突出している。そして、その結果、無線モジュール１２のアンテナ１７はヒートシンク５よりも室内側に配置されている。
例えば、室内側から無線信号が送信される場合、アンテナ１７の近傍、特にアンテナ１７の室内側に金属製、つまり導電性の物品があると、無線信号が金属製の物品に吸収され、アンテナ１７の無線信号の受信感度が低下する可能性がある。
第１実施形態に係る照明装置１では、無線モジュール１２のアンテナ１７をヒートシンク５よりも室内側に配置することにより、金属からなる略板状のヒートシンク５に無線信号が吸収されることを回避し、簡易にして確実に、室内側からの無線信号の受信感度を確保することが可能となる。
【００２１】
図６は、第１実施形態に係るヒートシンク５の室内側と反対側面の平面図である。図７は、図６のヒートシンク５に無線モジュール１２を第１の方向に配置した状態での平面図である。図８は、図６のヒートシンク５に無線モジュール１２を第２の方向に配置した状態での平面図である。
【００２２】
図６に示すように、ヒートシンク５には、ＬＥＤ点灯装置７の近傍に、ＬＥＤ点灯装置７の長手方向に沿うように、スリット状の貫通孔であるアンテナ挿通孔５ａが形成されている。このアンテナ挿通孔５ａを挿通して、アンテナ端部１７ｂが室内側に配置されている状態となれば良い。
【００２３】
例えば、図７に示すように、ヒートシンク５の室内側と反対側面において、ケース１３の本体部１３ｂよりも、アンテナケース１３ａのほうがＬＥＤ点灯装置７に近くなるように、ＬＥＤ点灯装置７の長手方向に沿って無線モジュール１２を取り付けても良い。この場合、電源回路を有するＬＥＤ点灯装置７に対して、アンテナケース１３ａよりも、ケース１３の本体部１３ｂが離間する。
【００２４】
若しくは、図８に示すように、ヒートシンク５の室内側と反対側面において、アンテナケース１３ａよりも、ケース１３の本体部１３ｂのほうがＬＥＤ点灯装置７に近くなるように、ＬＥＤ点灯装置７の長手方向に沿って無線モジュール１２を取り付けても良い。この場合、電源回路を有するＬＥＤ点灯装置７に対して、ケース１３の本体部１３ｂよりも、アンテナケース１３ａが離間する。
【００２５】
第１実施形態では、図７及び図８に示すように、ヒートシンク５の室内側と反対側面において、ＬＥＤ点灯装置７とアンテナケース１３ａとの距離を考慮して無線モジュール１２を取り付けることが可能である。これにより、照明装置１を設置する際の無線信号の受信感度の実測値に応じて、図３（ａ）〜（ｃ）に示すアンテナ配置例のうち好適なものを採用した無線モジュール１２を選択し、図７又は図８に示すように無線モジュール１２を取り付ける方向を決定することができる。そのため、照明装置１を設置する際のアンテナ調整の柔軟性及び自由度が飛躍的に向上する。
【００２６】
器具本体３は、底面と側壁とで囲まれた矩形の凹部を有する。この凹部はＬＥＤユニット２を収容するためのスペースである。この凹部にＬＥＤユニット２を収容する場合は、例えば、凹部の内側に面する係止部にバネ受け金具を取り付けておく。また、ＬＥＤユニット２のヒートシンク５の外側の側面に、バネの弾性力で２本のアーム部が横方向かつ互いに反対方向に広がるバネ金具を取り付けておく。バネ受け金具とバネ金具とを所定位置に取り付け、ＬＥＤユニット２のヒートシンク５の背面を器具本体３の凹部に対向させた状態で、ＬＥＤユニット２を器具本体３の凹部に収容すると、バネ金具の２本のアーム部が弾性力で横方向に広がり、バネ受け金具に係止される。これにより、ＬＥＤユニット２は器具本体３の凹部内に収容されて固定される。バネ金具の２本のアーム部を横方向に広げたり、狭めたりすることによって、ＬＥＤユニット２を器具本体３に着脱することができるので、例えば、ＬＥＤユニット２ごとの交換が可能である。
【００２７】
（第１実施形態の効果）
このように、第１実施形態に係る照明装置１では、規定方向に列をなすようにしてＬＥＤ素子４が実装されたＬＥＤ基板６をＬＥＤ素子４の列が並列になるように配置し、全てのＬＥＤ素子４を覆う大きさの金属製のヒートシンク５をＬＥＤ基板６に対して室内側と反対側に配置する。室内側からの無線信号を受信する無線モジュール１２は、アンテナケース１３ａに棒状のアンテナ１７を内装する。そして、アンテナ１７がヒートシンク５よりも室内側に配置されるようにして、無線モジュール１２におけるケース１３の本体部１３ｂをヒートシンク５に対して室内側と反対側位置に配置する。その結果、アンテナ１７は金属製のヒートシンク５から室内側に離間するので、室内側からの無線信号の受信感度を確保する上で有利である。更に、ＬＥＤ点灯装置７や無線モジュール１２に対して、アンテナ１７の位置を任意に調整可能であるため、照明装置１を設置する際のアンテナ調整の柔軟性及び自由度が飛躍的に向上する。
【００２８】
（変形例）
図９は、第１実施形態に係る変形例のヒートシンク５の室内側と反対側面の平面図である。変形例のヒートシンク５では、アンテナ挿通孔５ａの候補を多数用意する。
これらのアンテナ挿通孔５ａの候補は、あらかじめ全て開けられていても良い。若しくは、あらかじめ全て塞がれた状態で用意しておき、これらの候補の中から選択された箇所のみ開けてアンテナ挿通孔５ａとして使用するようにしても良い。
これにより、無線モジュール１２の柔軟性及び自由度が飛躍的に向上するため、照明装置を設置する際のアンテナ調整の柔軟性及び自由度を更に飛躍的に向上させることができる。
【００２９】
＜第２実施形態＞
次に、本発明の照明装置の第２実施形態について図面を用いて説明する。
（グリッド型照明装置）
図１０Ａは、第２実施形態に係る照明装置１を示す分解斜視図である。図１０Ｂは、図１０Ａの照明装置１のＬＥＤユニット２を示す分解斜視図である。第２実施形態に係る照明装置１は、天井内に配設された２本１対のバーの間に取付けられる方形な長尺状のグリッド型照明装置である。なお、第２実施形態では、第１実施形態に係る照明装置１に対し、形状は異なっても、同等の機能を有する構成部材を備える。そのため、同等の機能の構成部材には同じ符号を附す。例えば、第２実施形態に係る照明装置１も、第１実施形態に係る照明装置１と同様に、例えば天井位置に取付けて使用されるものであり、図の下方が室内側に相当する。この照明装置１も、ＬＥＤユニット２と、そのＬＥＤユニット２を収容して被取付部に取付ける器具本体３とを備える。
【００３０】
第２実施形態に係るＬＥＤユニット２も、第１実施形態に係るＬＥＤユニット２と同様に、金属からなる略板状のヒートシンク５と、そのヒートシンク５の室内側面に設けられた複数のＬＥＤ基板６と、ヒートシンク５の室内側と反対側面に設けられたＬＥＤ点灯装置７と、複数のＬＥＤ基板６の室内側に設けられた反射シート８と、反射シート８の室内側に設けられて複数のＬＥＤ基板６を覆う透光性のカバーパネル９を備える。なお、第２実施形態に係る照明装置１のＬＥＤ点灯装置７も、第１実施形態に係る照明装置１と同様に、電源回路を収容し、かつ、発光状態変更機能を有する。
【００３１】
長尺なＬＥＤ基板６には、基板長尺方向に列をなすようにしてＬＥＤ素子４が二列実装されている。そして、第２実施形態では、ＬＥＤ素子４の列が４列並列になるように２つのＬＥＤ基板６を幅方向に並べて発光部が形成されている。このＬＥＤ基板６の室内側に配設される反射シート８は、ヒートシンク５に取付けられた全てのＬＥＤ基板６を覆う大きさの方形に形成され、ＬＥＤ素子４が貫通する貫通孔が多数形成されている。これらＬＥＤ基板６と反射シート８は、全てのＬＥＤ素子４を覆う大きさの方形な金属からなる略板状のヒートシンク５に取付けられる。第２実施形態に係るヒートシンク５は、方形な樹脂製の枠体に取付けられることで、筺体１０を形成する。この筺体１０は、室内側と反対側に底面を有し、かつ、室内側に開口部を有する。一方、筺体１０の室内側開口部を覆うようにカバーパネル９が取付けられる。
【００３２】
また、筺体１０の底面であるヒートシンク５の室内側と反対側面中央部にはＬＥＤ点灯装置７が取付けられ、ヒートシンク５の長手方向両端部にバネ受け部材１１が取付けられている。このバネ受け部材１１は、天井に固定された器具本体３から垂下しているバネを引っ掛けるように構成されており、そのバネがバネ受け部材１１に引っ掛かっている状態でＬＥＤユニット２を天井側に押し上げると、バネがバネ受け部材１１に係止してＬＥＤユニット２が器具本体３に固定される。
【００３３】
（無線モジュール）
図１１は、図１０ＢのＬＥＤユニット２に用いられる無線モジュール１２内のアンテナ配置例を示す模式図である。図１２Ａは、図１１の無線モジュール１２とは異なるアンテナ配置例を示す無線モジュール１２内のアンテナ配置例を示す模式図である。図１２Ｂは、図１２Ａの無線モジュールの分解斜視図である。図１３は、図１２Ａの無線モジュールのアンテナ線の長さを調整したアンテナ配置例を示す模式図である。図１４は、図１２Ａの無線モジュールのアンテナ線の長さを調整し、かつ、アンテナ基点１７ａとアンテナ端部１７ｂとの位置を入れ替えたアンテナ配置例を示す模式図である。
図１２Ｂに示すように、第２実施形態に係る無線モジュール１２も、基本的に、第１実施形態に係る無線モジュール１２と同様に、樹脂製のケース１３内に、無線通信用の素子が実装された無線回路基板１４と、その無線回路基板１４上の素子が雑音の影響を受けないようにするためのシールド部材１５と、ＬＥＤ点灯装置７との接続用ハーネスが接続されるコネクタ１６と、無線回路基板１４上の素子に電気的に接続されて無線回路基板１４から延出する棒状のアンテナ１７を有する。
【００３４】
図１１、図１２Ａ、図１２Ｂ、図１３及び図１４に示すように、第２実施形態に係る無線モジュール１２では、ケース１３の本体部１３ｂ内において、アンテナケース１３ａが存在しない位置にも、別途、アンテナ収容溝１３ｃが設けられている。ここでは、方形のケース１３の本体部１３ｂの第１の辺に沿ってアンテナケース１３ａが設けられており、第１の辺に対向する第２の辺に沿ってアンテナ収容溝１３ｃが設けられている。
【００３５】
図１１に示すように、第２実施形態でも、基本的に、第１実施形態と同様に、アンテナ１７は、アンテナ基点１７ａがケース１３の本体部１３ｂ内に位置し、アンテナ端部１７ｂがアンテナケース１３ａ内に位置するように配置されている。この場合、図３に示すような第１実施形態と同様のアンテナ配置例が適用可能である。
【００３６】
また、図１２Ａ、図１２Ｂ、図１３及び図１４に示すように、ケース１３の本体部１３ｂ内において、アンテナ収容溝１３ｃに沿ってアンテナ１７が配置されていても良い。この場合、アンテナケース１３ａを全く使用しない。
【００３７】
例えば、図１２Ａ及び図１２Ｂに示すように、アンテナ１７は、アンテナ収容溝１３ｃに沿って、ケース１３の本体部１３ｂ内に収まるように配置されていても良い。
また、図１３に示すように、アンテナ線の長さを調整することで、アンテナ基点１７ａがアンテナ収容溝１３ｃのうちアンテナケース１３ａに対して離間しかつ略平行な部分の半ばに位置し、アンテナ端部１７ｂがアンテナ収容溝１３ｃのうちアンテナケース１３ａに対して略直交する部分の半ばに位置するようにしても良い。
また、図１４に示すように、ケース１３の本体部１３ｂ内において、アンテナ線の長さを調整し、かつ、アンテナ基点１７ａとアンテナ端部１７ｂとの位置を入れ替えても良い。すなわち、アンテナ基点１７ａがアンテナ収容溝１３ｃのうちアンテナケース１３ａに対して略直交する部分の半ばに位置し、アンテナ端部１７ｂがアンテナ収容溝１３ｃのうちアンテナケース１３ａに対して離間しかつ略平行な部分の半ばに位置するようにしても良い。
ここで、アンテナ収容溝１３ｃは、アンテナ１７の無線信号の受信感度を確保する観点から、アンテナ端部１７ｂの位置する箇所に開口部を有していると好ましい。
また、図示しないが、アンテナケース１３ａとアンテナ収容溝１３ｃとの両方にアンテナ１７を配置することも可能である。
このように、アンテナ１７は、無線信号の受信感度を調整するため、無線回路基板１４に対して給電点を基点に位置を任意に調整することができる。
【００３８】
また、第２実施形態に係る無線モジュール１２は、カバー形状のケース１３の一方が開口しており、ケース１３の本体部１３ｂが片面のみであるため、第１実施形態に係る無線モジュール１２と比べて、厚さが小さい。
【００３９】
（照明装置と無線モジュールとの関係）
図１５は、図１０ＢのＬＥＤユニット２に図１１〜図１４のいずれかの無線モジュール１２を取付けた状態の斜視図、図１６は、図１０ＢのＬＥＤユニット２に図１１〜図１４のいずれかの無線モジュール１２を取付けた状態の平面図、図１７は、図１６のＬＥＤユニット２の断面図である。第２実施形態では、無線モジュール１２を、筺体１０の側壁１０ａを挟んで、ＬＥＤ基板６が位置する側とは反対側である外側に取付ける。なお、筺体１０の側壁１０ａには、その外側において室内側から筺体１０の底面側に折り返された折り返し壁１０ｂが設けられている。なお、図１５、図１７における枠部１８は筺体１０に取付けられてカバーパネル９を支持するものである。
第２実施形態では、無線モジュール１２を、筺体１０の側壁１０ａと折り返し壁１０ｂとの間、例えば筺体１０の側壁１０ａの「外壁」又は折り返し壁１０ｂの「内壁」に取付ける。すなわち、無線モジュール１２を、筺体１０の側壁１０ａよりも「外側」かつ折り返し壁１０ｂよりも「内側」に取付ける。
具体的には、図１５〜図１７に示すように、筺体１０の側壁１０ａと折り返し壁１０ｂとの間には、本体部長手方向に長手で室内側に窪んだ凹部が形成されており、室内側と反対側からこの凹部内に、厚さの小さい無線モジュール１２を嵌め込むようにして取付ける。
【００４０】
なお、無線モジュール１２を凹部内に取付ける際に、アンテナ１７を最も室内側に近づけるか、若しくは最も室内側と反対側に近づけるか、すなわち最も室内側から遠ざけるかは任意である。したがって、第２実施形態においても、第１実施形態のように、照明装置１を設置する際の無線信号の受信感度の実測値に応じて、図１１〜図１４に示すアンテナ配置例のうち好適なものを採用した無線モジュール１２を選択し、その無線モジュール１２を取り付ける方向を決定することができる。そのため、照明装置１を設置する際のアンテナ調整の柔軟性及び自由度が飛躍的に向上する。
【００４１】
第２実施形態の器具本体３については、既存設備を転用可能であり、既存のグリッド型照明装置の器具本体と同様でも良い。また、外観形状は異なるが、ＬＥＤユニット２の取り付け方法については、第１実施形態の器具本体３と同様にすることができる。
【００４２】
（第２実施形態の効果）
このように、第２実施形態に係る照明装置１では、室内側から見て、無線モジュール１２のアンテナ１７は金属製のヒートシンク５の外側に配置されるので、室内側からの無線信号の受信感度を確保する上で有利である。更に、ＬＥＤ点灯装置７や無線モジュール１２に対して、アンテナ１７の位置を任意に調整可能であるため、照明装置１を設置する際のアンテナ調整の柔軟性及び自由度が飛躍的に向上する。
【００４３】
（変形例）
図１８は、図１１の無線モジュール１２のケース１３内での他のアンテナ配置例を示す模式図である。図１８に示すように、この変形例では、無線モジュール１２のケース１３の本体部１３ｂの内部の縁と中央付近とにアンテナ収容溝１３ｃが設けられている。
具体的には、アンテナ収容溝１３ｃは、アンテナケース１３ａと平行な第１の縁に沿って設けられたアンテナ収容溝１３ｃ１と、その第１の縁に対向する第２の縁に設けられたアンテナ収容溝１３ｃ２と、アンテナ収容溝１３ｃ１及びアンテナ収容溝１３ｃ２に対して略直交する方向に設けられたアンテナ収容溝１３ｃ３、アンテナ収容溝１３ｃ４、アンテナ収容溝１３ｃ５とを有する。
ここで、アンテナ収容溝１３ｃ３及びアンテナ収容溝１３ｃ４は、互いに対向するように、ケース１３の本体部１３ｂの内部の縁、例えば第１の縁及び第２の縁と略直交する方向の第３の縁及び第４の縁に沿って設けられている。アンテナ収容溝１３ｃ５は、ケース１３の本体部１３ｂの内部の中央付近に設けられている。
アンテナ１７は、このようなアンテナ収容溝１３ｃに対し、図１８（ａ）〜（ｄ）のいずれかに示すように配置することが可能である。この変形例では、アンテナケース１３ａにはアンテナ１７を配置しない。
例えば、図１８（ａ）に示すように、アンテナ１７は、アンテナ収容溝１３ｃ１とアンテナ収容溝１３ｃ４とに収容されるように配置されていても良い。
また、図１８（ｂ）に示すように、アンテナ１７は、アンテナ収容溝１３ｃ１とアンテナ収容溝１３ｃ３とに収容されるように配置されていても良い。
また、図１８（ｃ）に示すように、アンテナ１７は、アンテナ収容溝１３ｃ１とアンテナ収容溝１３ｃ５とに収容されるように配置されていても良い。
また、図１８（ｄ）に示すように、アンテナ１７は、アンテナ収容溝１３ｃ２とアンテナ収容溝１３ｃ５とに収容されるように配置されていても良い。
なお、図示したアンテナ配置例は一例に過ぎない。実際には、アンテナ収容溝１３ｃに配置可能であれば、図示しない他のアンテナ配置例も許容される。必要であれば、アンテナ収容溝１３ｃ１〜アンテナ収容溝１３ｃ５の全てにアンテナ１７を配置することも可能である。
また、アンテナ基点１７ａとアンテナ端部１７ｂとの位置については図示を省略しているが、図３のアンテナ配置例と同様に、アンテナ基点１７ａとアンテナ端部１７ｂとの位置は入れ替え可能であるものとする。
【００４４】
＜第３実施形態＞
（グリッド型照明装置）
第３実施形態に係る照明装置１及びＬＥＤユニット２自体は、図１０Ａに示した第２実施形態に係る照明装置１及びＬＥＤユニット２と同様である。
【００４５】
（無線モジュール）
第３実施形態に係る無線モジュール１２自体も、図１１〜図１４等に示した第２実施形態に係る無線モジュール１２と同様である。
【００４６】
（照明装置と無線モジュールとの関係）
図１９は、第３実施形態において、図１０ＢのＬＥＤユニット２に図１１〜図１４及び図１８のいずれかの無線モジュール１２を取付けた状態の斜視図、図２０は、図１９のＬＥＤユニット２の断面図である。第３実施形態でも、無線モジュール１２を、筺体１０の側壁１０ａを挟んで、ＬＥＤ基板６が位置する側とは反対側である外側に取付ける点では、第２実施形態と同様である。なお、筺体１０の側壁１０ａには、その外側において室内側から筺体１０の底面側に折り返された折り返し壁１０ｂが設けられている。
しかし、第３実施形態では、第２実施形態と異なり、無線モジュール１２を、筺体１０の折り返し壁１０ｂの「外壁」に取付ける。すなわち、無線モジュール１２を、筺体１０の折り返し壁１０ｂよりも「外側」に取付ける。
具体的には、図１９及び図２０に示すように、室内側と反対側から、筺体１０の折り返し壁１０ｂの外側に、厚さの小さい無線モジュール１２を貼り付けるようにして取付ける。
【００４７】
なお、無線モジュール１２を筺体１０の折り返し壁１０ｂの外側に取付ける際に、アンテナ１７を最も室内側に近づけるか、若しくは最も室内側と反対側に近づけるか、すなわち最も室内側から遠ざけるかは任意である。したがって、第３実施形態においても、第２実施形態と同様に、照明装置１を設置する際の無線信号の受信感度の実測値に応じて、図１１〜図１４に示すアンテナ配置例のうち好適なものを採用した無線モジュール１２を選択し、その無線モジュール１２を取り付ける方向を決定することができる。そのため、照明装置１を設置する際のアンテナ調整の柔軟性及び自由度が飛躍的に向上する。
【００４８】
（第３実施形態の効果）
このように、第３実施形態に係る照明装置１では、室内側から見て、無線モジュール１２のアンテナ１７は金属製のヒートシンク５の外側に配置されるので、室内側からの無線信号の受信感度を確保する上で有利である。更に、ＬＥＤ点灯装置７や無線モジュール１２に対して、アンテナ１７の位置を任意に調整可能であるため、照明装置１を設置する際のアンテナ調整の柔軟性及び自由度が飛躍的に向上する。
【００４９】
以上、特定の実施形態を参照して本発明を説明したが、これらの説明によって発明を限定することを意図するものではない。本発明の説明を参照することにより、当業者には、開示された実施形態の種々の変形例とともに本発明の別の実施形態も明らかである。したがって、特許請求の範囲は、本発明の範囲及び要旨に含まれるこれらの変形例又は実施形態も網羅すると解すべきである。
【符号の説明】
【００５０】
１  照明装置、２  ＬＥＤユニット、３  器具本体、４  ＬＥＤ素子、５  ヒートシンク、５ａ  アンテナ挿通孔、６  ＬＥＤ基板、７  ＬＥＤ点灯装置、８  反射シート、８ａ  ＬＥＤ露出孔、８ｂ  アンテナ挿通孔、９  カバーパネル、１０  筺体、１０ａ  側壁、１０ｂ  折り返し壁、１１  バネ受け部材、１２  無線モジュール、１３  ケース、１３ａ  アンテナケース、１３ｂ  本体部、１３ｃ  アンテナ収容溝、１４  無線回路基板、１５  シールド部材、１６  コネクタ、１７  アンテナ、１８  枠部
【図１】
0006760633.tif 000002
【図２】
0006760633.tif 000003
【図３】
0006760633.tif 000004
【図４】
0006760633.tif 000005
【図５】
0006760633.tif 000006
【図６】
0006760633.tif 000007
【図７】
0006760633.tif 000008
【図８】
0006760633.tif 000009
【図９】
0006760633.tif 000010
【図１０Ａ】
0006760633.tif 000011
【図１０Ｂ】
0006760633.tif 000012
【図１１】
0006760633.tif 000013
【図１２Ａ】
0006760633.tif 000014
【図１２Ｂ】
0006760633.tif 000015
【図１３】
0006760633.tif 000016
【図１４】
0006760633.tif 000017
【図１５】
0006760633.tif 000018
【図１６】
0006760633.tif 000019
【図１７】
0006760633.tif 000020
【図１８】
0006760633.tif 000021
【図１９】
0006760633.tif 000022
【図２０】
0006760633.tif 000023